(57)【要約】      （修正有）【課題】コンテナ用冷凍装置における除湿性能をさらに高めること。【解決手段】コンテナ用冷凍装置１０は、主回路２１とレヒート回路８０とを備え、コンテナ庫内から吸い込まれて蒸発器３３において冷却除湿された空気がレヒート熱交換器８３の圧縮冷媒と熱交換して加熱される除湿運転が行われるものを対象としている。除湿運転において、蒸発器３３の冷媒の過熱度ＳＨｅを所定過熱度よりも高くすると共に、上記圧縮機３０の運転回転数Ｎを制御値よりも高くする第３除湿制御を行う除湿制御部１０２を備えている。【選択図】図１
2013122333.tif 000002
【特許請求の範囲】
【請求項１】
圧縮機（30）と、凝縮器（31）と、膨張機構（32）と、蒸発器（33）とが順に接続された主回路（21）と、上記圧縮機（30）の圧縮冷媒の一部が上記凝縮器（31）および膨張機構（32）をバイパスして流入するレヒート熱交換器（83）が接続されるレヒート回路（80）とを備え、上記コンテナ庫内から吸い込まれて上記蒸発器（33）において冷却除湿された空気が上記レヒート熱交換器（83）の圧縮冷媒と熱交換して加熱される除湿運転が行われるコンテナ用冷凍装置であって、
上記除湿運転において、上記蒸発器（33）の冷媒の過熱度ＳＨｅを所定過熱度よりも高くすると共に、圧縮機（30）の運転回転数Ｎを所定値よりも高くする第１除湿制御を行う除湿制御部（102）を備えている
ことを特徴とするコンテナ用冷凍装置。
【請求項２】
請求項１において、
上記除湿制御部（102）は、除湿運転において、上記圧縮機（30）の圧縮冷媒の圧力を所定圧力よりも高くする第２除湿制御を行うように構成されている
ことを特徴とするコンテナ用冷凍装置。
【請求項３】
請求項１又は２において、
上記蒸発器（33）に空気を供給すると共に、回転速度を変更可能に構成された庫内ファン（36）を備え、
上記除湿運転において、上記庫内ファン（36）の回転を低速回転させるように構成されている
ことを特徴とするコンテナ用冷凍装置。
【発明の詳細な説明】
【技術分野】
【０００１】
本発明は、コンテナ用冷凍装置に関し、特に、除湿性能の向上対策に係るものである。
【背景技術】
【０００２】
従来、海上輸送等に用いるコンテナ内を冷却するために、コンテナ用冷凍装置が用いられている。
【０００３】
特許文献１に示されたコンテナ用冷凍装置は、圧縮機、凝縮器、レシーバ、電子膨張弁および蒸発器が順次接続される冷媒回路を備えている。また、この冷媒回路には、蒸発器の風下側に位置する加熱用の熱交換器（レヒート熱交換器）が設けられている。この熱交換器は、圧縮機の吐出ガス冷媒が流れるように構成されている。コンテナ用冷凍装置では、蒸発器において冷却して除湿された空気（吹出空気）をレヒート熱交換器で加熱（レヒート）する除湿動作が行われる。
【先行技術文献】
【特許文献】
【０００４】
【特許文献１】特開平１１−６３７６９号公報
【発明の概要】
【発明が解決しようとする課題】
【０００５】
ところで、従来のコンテナ用冷凍装置では、除湿動作において蒸発器での冷却能力を高めて除湿を促進する一方、レヒート熱交換器での加熱能力を高めてコンテナ庫内の温度を維持するという制御をしていた。したがって、従来は所望の除湿性能を得るために圧縮機の吐出冷媒の圧力（高圧）を高くしてレヒート熱交換器での加熱能力を増加させていた。
【０００６】
しかしながら、圧縮機の吐出冷媒の圧力には上限があり、それ以上、高圧を高くしすぎると、圧力異常によってコンテナ用冷凍装置の運転が停止してしまうことがある。つまり、レヒート熱交換器での加熱能力を超えるような除湿を行うことができないという問題があった。
【０００７】
本発明は、斯かる点に鑑みてなされたものであり、コンテナ用冷凍装置における除湿性能をさらに高めることを目的とする。
【課題を解決するための手段】
【０００８】
第１の発明は、圧縮機（30）と、凝縮器（31）と、膨張機構（32）と、蒸発器（33）とが順に接続された主回路（21）と、上記圧縮機（30）の圧縮冷媒の一部が上記凝縮器（31）および膨張機構（32）をバイパスして流入するレヒート熱交換器（83）が接続されるレヒート回路（80）とを備え、上記コンテナ庫内から吸い込まれて上記蒸発器（33）において冷却除湿された空気が上記レヒート熱交換器（83）の圧縮冷媒と熱交換して加熱される除湿運転が行われるコンテナ用冷凍装置であって、上記除湿運転において、上記蒸発器（33）の冷媒の過熱度ＳＨｅを所定過熱度よりも高くすると共に、上記圧縮機（30）の運転回転数Ｎを所定値よりも高くする第１除湿制御を行う除湿制御部（102）を備えている。
【０００９】
上記第１の発明では、冷媒回路が主回路（21）とレヒート回路（80）とで構成される。まず、主回路（21）において圧縮機（30）から吐出した冷媒は凝縮器（31）で凝縮し、膨張機構（32）で膨張し、蒸発器（33）で蒸発する。蒸発器（33）では冷媒とコンテナ庫内の空気との間で熱交換され、該庫内空気が冷却される。また、圧縮機（30）は運転回転数Ｎが可変に構成されている。
【００１０】
除湿運転では、圧縮機（30）から吐出した圧縮冷媒が、主回路（21）とレヒート回路（80）とに分かれて流れる。主回路（21）では、膨張機構（32）を流出した冷媒が蒸発器（33）において庫内空気と熱交換し、該庫内空気が冷却されて結露することにより、庫内空気の除湿が行われる。一方、レヒート回路（80）では、圧縮機（30）から吐出した圧縮冷媒の一部が直接レヒート熱交換器（83）に流入する。レヒート熱交換器（83）では、圧縮冷媒と、蒸発器（33）で冷却除湿された空気（蒸発器（33）から流れ出た空気）との間で熱交換が行われ、冷却除湿された空気が再び加熱される。
【００１１】
除湿制御部（102）は除湿運転において第１除湿制御を行う。第１除湿制御では、除湿制御部（102）が蒸発器（33）の過熱度ＳＨｅを所定過熱度よりも高くする。こうすることで、圧縮機（30）の吸入側の圧力が下がり、蒸発器（33）における出口蒸発温度が低下する。これにより、蒸発器（33）で結露される水分量が増加して除湿能力が向上する。また、蒸発器（33）の過熱度ＳＨｅを高くすることで、蒸発器（33）を流れる冷媒の比体積が大きくなるため、蒸発器（33）を流れる冷媒流量が少なくなる。このため、除湿制御部（102）は、圧縮機（30）の運転回転数Ｎを所定値よりも高くする。こうすることで、主回路（21）を循環する冷媒流量が増加して蒸発器（33）を流れる冷媒流量が増加する。こうすることで、蒸発器（33）の冷却能力が維持され、コンテナ庫内の温度を目標温度範囲内に維持することができる。
【００１２】
第２の発明は、上記第１の発明において、上記除湿制御部（102）は、除湿運転において、上記圧縮機（30）の圧縮冷媒の圧力を所定圧力よりも高くする第２除湿制御を行うように構成されている。
【００１３】
上記第２の発明では、除湿制御部（102）は第２除湿制御を行う。第２除湿制御では、除湿制御部（102）が圧縮機（30）の圧縮冷媒の圧力を所定圧力よりも高くする。こうすることで、主回路（21）およびレヒート回路（80）に流れる圧縮冷媒の圧力が高くなる。このため、レヒート回路（80）では、レヒート熱交換器（83）の加熱能力が高くなるため、コンテナ庫内に吹出される空気の相対湿度が低下する。この結果、除湿能力が高くなる。
【００１４】
第３の発明は、上記第１又は第２の発明において、上記蒸発器（33）に空気を供給すると共に、回転速度を変更可能に構成された庫内ファン（36）を備え、上記除湿運転において、上記庫内ファン（36）の回転を低速回転させるように構成されている。
【００１５】
上記第３の発明では、除湿運転において、庫内ファン（36）の回転を低速回転させる。こうすることで、庫内ファン（36）の入力が下がって蒸発器（33）の冷却負荷が下がる。このため、圧縮機（30）の吸入側の冷媒圧力が下がり、蒸発器（33）における出口蒸発温度が低下する。蒸発器（33）で結露される水分量が増加して除湿能力が向上する。
【発明の効果】
【００１６】
上記第１の発明によれば、第１除湿制御において、蒸発器（33）の過熱度ＳＨｅを高くしたため、蒸発器（33）の出口蒸発温度を低下させることができる。また、圧縮機（30）の運転回転数Ｎを高くしたため、蒸発器（33）の冷媒流量を増やすことができる。これらにより、蒸発器（33）で結露される水分量が増加するため、除湿能力を高くすることができる。
【００１７】
上記第２の発明によれば、圧縮機（30）の圧縮冷媒の圧力を高くしたため、レヒート熱交換器（83）を流れる冷媒の圧力を高くすることができる。このため、レヒート熱交換器（83）の加熱能力を高めることができる。これにより、レヒート熱交換器（83）を通過する空気の相対湿度を高くすることができる。
【００１８】
上記第３の発明によれば、除湿運転において庫内ファン（36）の回転を低速回転させるようにしたため、圧縮機（30）の吸入側の冷媒圧力を下げることができる。このため、蒸発器（33）の出口蒸発温度を低下させることができる。これらにより、蒸発器（33）で結露される水分量が増加するため、除湿能力を高くすることができる。
【図面の簡単な説明】
【００１９】
【図１】本実施形態に係るコンテナ用冷凍装置の冷媒回路を示す配管系統図である。
【図２】本実施形態に係る庫外ファンの切換制御を示す図である。
【図３】本実施形態に係る除湿運転を示すブロック図である。
【図４】本実施形態に係る庫外ファンの切換制御と吐出冷媒の圧力と関係を示す図である。
【図５】本実施形態に係る冷却運転の冷却動作を示す配管系統図である。
【図６】本実施形態に係る除湿運転における制御一覧を示す図である。
【図７】本実施形態に係る除湿運転における除湿制御の遷移条件を示す図である。
【図８】本実施形態に係る除湿運転の第１除湿制御を示す配管系統図である。
【図９】本実施形態に係る除湿運転の第２〜第４除湿制御を示す配管系統図である。
【発明を実施するための形態】
【００２０】
以下、本発明の実施形態を図面に基づいて詳細に説明する。
【００２１】
本実施形態のコンテナ用冷凍装置（10）は、図示しないコンテナの庫内を冷却するものである。コンテナ用冷凍装置（10）は、コンテナ本体の側方の開口面を閉塞する蓋体を兼用している。また、コンテナには、図示はしないが、コンテナ庫内を換気するための換気口と、換気口を開閉する換気扉とが設けられている。尚、換気扉は、図６におけるＦＡを構成している。コンテナの積荷が果物などの場合は、コンテナ庫内を換気する必要があるため、換気扉が開閉される。一方、コンテナの積荷が機械などの場合は、コンテナ庫内を換気する必要がないため、換気扉は常時閉じられる。本実施形態では、上記換気扉が常時閉じられた状態における制御について説明する。
【００２２】
図１に示すように、上記コンテナ用冷凍装置（10）は、冷媒が循環して冷却サイクルを行う冷媒回路（20）を備えている。この冷媒回路（20）は、主回路（21）と、ホットガスバイパス回路（22）とレヒート回路（80）と過冷却回路（23）とを有している。
【００２３】
上記主回路（21）は、圧縮機（30）と凝縮器（31）と主膨張弁（32）と蒸発器（33）とが順に冷媒配管によって直列に接続されて構成されている。
【００２４】
上記圧縮機（30）は、圧縮機構を駆動するモータ（図示省略）を有している。この圧縮機（30）のモータの回転数は、インバータによって多段階に制御される。つまり、圧縮機（30）は、運転回転数Ｎが可変に構成されている。
【００２５】
上記凝縮器（31）および蒸発器（33）は、いずれもフィン・アンド・チューブ熱交換器で構成されている。凝縮器（31）は、庫外に配置されている。凝縮器（31）では、庫外の空気と冷媒とが熱交換する。蒸発器（33）は、庫内に配置されている。蒸発器（33）では、庫内の空気と冷媒とが熱交換する。また、蒸発器（33）の下方には、ドレンパン（37）が設けられている。ドレンパン（37）は、上側が開放された扁平な容器状に形成されている。ドレンパン（37）の内部には、蒸発器（33）から剥がれ落ちた霜や氷塊や、空気中から凝縮した結露水等が回収される。主膨張弁（32）は、開度がパルスモータによって多段階に調節可能に構成されている。主膨張弁（32）は、図３におけるメインＥＶを構成している。また、上記凝縮器（31）には、庫外ファン（35）が設けられる一方、蒸発器（33）には、庫内ファン（36）が設けられている。庫内ファン（36）は、蒸発器（33）で冷却された冷却空気を庫内に供給するように構成されている。上記庫外ファン（35）および庫内ファン（36）には、それぞれ庫外ファンモータ（35a）および庫内ファンモータ（36a）が設けられている。
【００２６】
上記圧縮機（30）と凝縮器（31）との間の高圧ガス管（24）には、第４開閉弁（38）と逆止弁（CV）とが順に設けられている。第４開閉弁（38）は、開度がパルスモータによって多段階に調節可能に構成されている。第４開閉弁（38）は、図３におけるＤＭＶを構成している。逆止弁（CV）は、図１に示す矢印の方向への冷媒の流れを許容し、その逆の流れを禁止している。
【００２７】
上記凝縮器（31）と主膨張弁（32）との間の高圧液管（25）には、レシーバ（41）と第２開閉弁（49）とドライヤ（43）と過冷却熱交換器（44）とが順に設けられている。上記レシーバ（41）は、凝縮器（31）の下流側に設けられ、凝縮器（31）を流れた冷媒を流入させ、飽和液と飽和ガスとに分離するように構成されている。上記第２開閉弁（49）は、開閉自在な電磁弁で構成されている。上記ドライヤ（43）は、凝縮器（31）を流れた液冷媒中の水分を捕捉するように構成されている。凝縮器（31）の上流側には、主膨張弁（32）の下流側に接続される液封防止管（90）が接続されている。この液封防止管（90）には液封開閉弁（91）が設けられている。
【００２８】
上記過冷却熱交換器（44）は、凝縮器（31）を流れた液冷媒を冷却するものである。過冷却熱交換器（44）は、１次側通路（45）と２次側通路（46）を有している。つまり、過冷却熱交換器（44）では、１次側通路（45）を流れる冷媒と２次側通路を流れる冷媒とが熱交換する。１次側通路（45）は、主回路（21）の高圧液管（25）に接続され、２次側通路（46）は、過冷却回路（23）の過冷却分岐管（26）に接続されている。過冷却分岐管（26）の流入端は、高圧液管（25）におけるレシーバ（41）と第２開閉弁（49）の間に接続している。過冷却分岐管（26）の流出端は、圧縮機（30）の圧縮途中（中間圧力状態）の圧縮室（中間圧縮室）と接続している。つまり、過冷却分岐管（26）は、高圧液管（25）の液冷媒の一部が分流し圧縮機（30）の中間圧縮室へ流入する通路である。過冷却分岐管（26）における２次側通路（46）の流入側には、第１開閉弁（47）と過冷却膨張弁（48）とが設けられている。第１開閉弁（47）は、開閉自在な電磁弁で構成されている。過冷却膨張弁（48）は、開度がパルスモータによって多段階に調節可能であり、冷媒を減圧する減圧機構を構成している。過冷却膨張弁（48）は、図３における中間ＥＶを構成している。
【００２９】
上記ホットガスバイパス回路（22）は、１本の主通路（50）と、該主通路（50）から分岐する２本の分岐通路（51,52）とを有している。この２本の分岐通路（51,52）は、第１分岐通路（51）と第２分岐通路（52）をいう。主通路（50）の流入端は、高圧ガス管（24）における第４開閉弁（38）と圧縮機（30）の吐出側との間に接続している。主通路（50）には、第３開閉弁（53）が設けられている。第３開閉弁（53）は、開閉自在な電磁弁で構成されている。
【００３０】
上記第１分岐通路（51）は、一端が主通路（50）の流出端に接続され、他端が主膨張弁（32）と蒸発器（33）との間の低圧液管（27）に接続されている。同様に、第２分岐通路（52）も、一端が主通路（50）の流出端に接続され、他端が低圧液管（27）に接続されている。第２分岐通路（52）は、第１分岐通路（51）よりも長い冷媒配管で構成されている。また、第２分岐通路（52）は、ドレンパン（37）の底部に沿うように蛇行して配置されたドレンパンヒータ（54）を有している。ドレンパンヒータ（54）は、ドレンパン（37）の内部を冷媒によって加熱するように構成されている。以上にようにして、ホットガスバイパス回路（22）は、圧縮機（30）で圧縮した冷媒（圧縮機（30）から吐出された高温のガス冷媒）を蒸発器（33）へ供給するためのバイパス回路を構成している。
【００３１】
上記レヒート回路（80）は、レヒート通路（82）を有している。レヒート通路（82）の流入端は、高圧ガス管（24）における第４開閉弁（38）と圧縮機（30）の吐出側との間に接続されている。レヒート通路（82）には、第５開閉弁（81）が設けられている。この第５開閉弁（81）は、開閉自在な電磁弁で構成されている。第５開閉弁（81）は、図３および図６におけるＲＳＶを構成している。上記レヒート通路（82）は、レヒート熱交換器（83）とキャピラリチューブとを有している。レヒート熱交換器（83）は、除湿運転時において、流入させた吐出冷媒と、蒸発器（33）で冷却除湿させた後の空気との間で熱交換させ、該空気を加熱するものである。レヒート熱交換器（83）は、フィン・アンド・チューブ熱交換器で構成されている。キャピラリチューブは、レヒート熱交換器（83）を流出した冷媒を減圧させるものである。以上のようにして、レヒート回路（80）は、圧縮機（30）で圧縮した冷媒（圧縮機（30）から吐出された高温のガス冷媒）の一部をレヒート熱交換器（83）へ供給するための回路を構成している。
【００３２】
上記冷媒回路（20）には、各種のセンサ類も設けられている。具体的に、高圧ガス管（24）には、高圧圧力センサ（60）と高圧圧力スイッチ（61）と吐出温度センサ（62）とが設けられている。高圧圧力センサ（60）は、圧縮機（30）から吐出される高圧ガス冷媒の圧力を検出する。吐出温度センサ（62）は、圧縮機（30）から吐出される高圧ガス冷媒の温度を検出する。蒸発器（33）と圧縮機（30）の間の低圧ガス管（28）には、低圧圧力センサ（63）と吸入温度センサ（64）とが設けられている。低圧圧力センサ（63）は、圧縮機（30）に吸入される低圧ガス冷媒の圧力を検出する。吸入温度センサ（64）は、圧縮機（30）に吸入される低圧ガス冷媒の温度を検出する。
【００３３】
上記過冷却分岐管（26）には、２次側通路（46）の流入側に流入温度センサ（65）が、２次側通路（46）の流出側に流出温度センサ（66）がそれぞれ設けられている。流入温度センサ（65）は、２次側通路（46）に流入する直前の冷媒の温度を検出する。また、流出温度センサ（66）は、２次側通路（46）を流出した直後の冷媒の温度を検出する。
【００３４】
上記低圧液管（27）には、蒸発器（33）の流入側に流入温度センサ（67）が設けられている。この流入温度センサ（67）は、蒸発器（33）に流入する直前の冷媒の温度を検出する。低圧ガス管（28）には、蒸発器（33）の流出側に流出温度センサ（68）が設けられている。この流出温度センサ（68）は、蒸発器（33）から流出した直後の冷媒の温度を検出する。
【００３５】
上記コンテナの庫外には、凝縮器（31）の吸込側に外気温度センサ（69）が設けられている。外気温度センサ（69）は、凝縮器（31）に吸い込まれる直前の庫外空気の温度（即ち、外気の温度）を検出する。コンテナの庫内には、蒸発器（33）の吸込側に吸込温度センサ（70）と湿度センサ（72）が設けられ、蒸発器（33）の吹出側に吹出温度センサ（71）が設けられている。吸込温度センサ（70）は、蒸発器（33）を通過する直前の庫内空気の温度（吸込空気温度RS）を検出する。湿度センサ（72）は、蒸発器（33）を通過する直前の庫内空気の湿度を検出する。吹出温度センサ（71）は、蒸発器（33）を通過した直後の庫内空気の温度（吹出空気温度SS）を検出する。尚、本実施形態に係る湿度とは、相対湿度をいうものとする。
【００３６】
上記コンテナ用冷凍装置（10）には、冷媒回路（20）を制御するための制御部としてのコントローラ（100）が設けられている。そして、コントローラ（100）には、温度制御部（101）と除湿制御部（102）とファン制御部（103）とを備えている。
【００３７】
上記ファン制御部（103）は、庫外ファン（35）の回転をコンテナ庫内の冷却負荷に応じてハイ状態とロー状態と停止状態とに適宜切り換えるものである。図２に示すように、庫外ファン（35）の回転は、ハイ状態からロー状態に切り換える第１切換制御と、ロー状態からハイ状態に切り換える第２切換制御と、ロー状態から停止状態に切り換える第３切換制御と、停止状態からロー状態に切り換える第４切換制御とが行われる。
【００３８】
上記温度制御部（101）は、圧縮機（30）の運転回転数Ｎ（運転周波数）、および主膨張弁（32）の開度を調節することでコンテナの庫内温度を目標温度に維持するためのものである。温度制御部（101）は、吹出空気温度SSが目標吸込温度SPとなるように上記圧縮機（30）の運転回転数Ｎや主膨張弁（32）の開度を制御する。
【００３９】
具体的に、コンテナ庫内へ吹き出された吹き出し空気の温度（吹出空気温度SS）が目標吹出温度SPよりも低ければ、圧縮機（30）の運転回転数Ｎを下げたり、主膨張弁（32）の開度を下げる一方、吹出空気温度SSが目標吸込温度（SP）よりも高ければ、圧縮機（30）の運転回転数Ｎを上げたり、主膨張弁（32）の開度を上げる。
【００４０】
上記除湿制御部（102）は、図３に示すように、庫内湿度と設定湿度との関係に基づいて庫内を除湿する除湿運転を行うものである。除湿制御部（102）は、除湿負荷が大きくなるのに伴って第１〜第４除湿制御が行われる。
【００４１】
上記第１除湿制御は、第５開閉弁（81）を閉鎖した状態で、主膨張弁（32）を調節して蒸発器（33）の過熱度ＳＨｅを２℃から５℃、８℃、１１℃、１４℃の順に上昇させてゆく。こうすると、圧縮機（30）の吸入圧力が下がり、蒸発器（33）における出口蒸発温度が低下するため、蒸発器（33）で結露する水分量が増加する。また、蒸発器（33）の過熱度ＳＨｅを上昇させると、蒸発器（33）を流れる冷媒流量が少なくなる。このため、除湿制御部（102）は、圧縮機（30）の回転数Ｎを高くして冷媒回路（20）を流れる冷媒循環量を増加させ、蒸発器（33）に流入させる冷媒量を増やす。これにより、蒸発器（33）を流れる冷媒流量が増加するため、吹出空気温度SSを目標吹出温度SPに近づけることができる。つまり、コンテナ庫内の温度を目標温度範囲内に維持することができる。
【００４２】
上記第２除湿制御は、第５開閉弁（81）を全開した状態で圧縮機（30）から吐出された冷媒をレヒート熱交換器（83）に流入させている。レヒート熱交換器（83）の冷媒は、蒸発器（33）において冷却除湿された空気と熱交換する。その結果、レヒート熱交換器（83）では、冷媒が庫内空気へ放熱して凝縮し、その結果、庫内空気が加熱される。つまり、蒸発器（33）で冷却除湿された空気をレヒート熱交換器（83）で再度加熱することで、コンテナ庫内の相対湿度を下げるようにしている。
【００４３】
上記第３除湿制御は、第５開閉弁（81）を全開した状態で主膨張弁（32）を調節して蒸発器（33）の過熱度ＳＨｅをコンテナ庫内の湿度が設定湿度に近づくように２℃から５℃、８℃、１１℃、１４℃の順に上昇させてゆく。こうすると、圧縮機（30）の吸入圧力が下がって蒸発器（33）を流れる冷媒の比体積が大きくなるため、冷媒循環量が少なくなる。圧縮機（30）の吸入圧力が下がることで蒸発器（33）における出口蒸発温度が低下し、蒸発器（33）で結露する水分量が増加する。また、蒸発器（33）の過熱度ＳＨｅを上昇させると、蒸発器（33）を流れる冷媒流量が少なくなる。このため、除湿制御部（102）は、圧縮機（30）の回転数Ｎを高くして冷媒回路（20）を流れる冷媒循環量を増加させ、蒸発器（33）に流入させる冷媒量を増やす。これにより、蒸発器（33）を流れる冷媒流量が増加するため、吹出空気温度SSを目標吹出温度SPに近づけることができる。つまり、コンテナ庫内の温度を目標温度範囲内に維持することができる。尚、上記第３除湿制御は、本発明に係る第１除湿制御を構成している。
【００４４】
上記第４除湿制御は、第５開閉弁（81）を全開した状態で主膨張弁（32）を調節して蒸発器（33）の過熱度ＳＨｅをコンテナ庫内の湿度が設定湿度に近づくように２℃から５℃、８℃、１１℃、１４℃の順に上昇させてゆく。こうすると、圧縮機（30）の吸入圧力が下がって蒸発器（33）を流れる冷媒の比体積が大きくなるため、冷媒循環量が少なくなる。圧縮機（30）の吸入圧力が下がることで蒸発器（33）における出口蒸発温度が低下し、蒸発器（33）で結露する水分量が増加する。また、蒸発器（33）の過熱度ＳＨｅを上昇させると、蒸発器（33）を流れる冷媒流量が少なくなる。このため、除湿制御部（102）は、圧縮機（30）の回転数Ｎを高くして冷媒回路（20）を流れる冷媒循環量を増加させ、蒸発器（33）に流入させる冷媒量を増やす。これにより、蒸発器（33）を流れる冷媒流量が増加するため、吹出空気温度SSを目標吹出温度SPに近づけることができる。つまり、コンテナ庫内の温度を目標温度範囲内に維持することができる。
【００４５】
また、除湿運転では、図４に示すように、ファン制御部（103）による第１〜第４切換制御に対応して吐出冷媒の圧力が設定される。そして、除湿制御部（102）は、第１〜第３除湿制御では、可変値βが１に固定されている。このため、第１〜第３除湿制御では、吐出冷媒の圧力が、第１切換制御時は８００ｋＰａ、第２切換制御時は１０００ｋＰａ、第３切換制御時は４５０ｋＰａ、第４切換制御時は８００ｋＰａに設定される。また、第４除湿制御では、可変値βが２〜１４の可変であるため、除湿制御部（102）はコンテナ庫内の除湿負荷（すなわち、コンテナ庫内の湿度と設定湿度との関係）に応じて可変値βの値を大きくする。除湿制御部（102）は、吐出冷媒の圧力を最高で２１００ｋＰａに設定する。尚、第４除湿制御は、本発明に係る第２除湿制御を構成している。
【００４６】
−運転動作−
次に、上記コンテナ用冷凍装置（10）の運転動作について説明する。コンテナ用冷凍装置（10）の運転動作は、「冷却運転」と「除湿運転」に大別される。冷却運転は、コンテナの庫内を比較的低い温度に冷却する運転である。つまり、冷却運転は、コンテナ本体に収容された輸送物（例えば生鮮食品等）を保存するために庫内を冷蔵／冷却する運転である。また、除湿運転は、コンテナ庫内の湿度を下げるための運転である。
【００４７】
〈冷却運転〉
冷却運転中には、「冷却動作」および「ポンプダウン動作」が実行される。
【００４８】
〈冷却運転の冷却動作〉
冷却運転の冷却動作では、図５に示すように、第１開閉弁（47）および第２開閉弁（49）が開放状態となり、第３開閉弁（53）および第５開閉弁（81）が閉鎖状態となる。第４開閉弁（38）は全開状態となり、過冷却膨張弁（48）および主膨張弁（32）の開度が適宜調節される。また、圧縮機（30）、庫外ファン（35）および庫内ファン（36）が運転される。尚、圧縮機（30）は、その回転数が通常、冷却運転時に設定される制御値で運転される。
【００４９】
圧縮機（30）で圧縮された冷媒は、凝縮器（31）で凝縮した後、レシーバ（41）を通過する。レシーバ（41）を通過した冷媒は、一部が低圧液管（27）をそのまま流れ、残りは過冷却分岐管（26）に分流する。低圧液管（27）を流れた冷媒は、主膨張弁（32）で減圧された後、蒸発器（33）を流れる。蒸発器（33）では、冷媒が庫内空気から吸熱して蒸発する。これにより、庫内空気が冷却される。蒸発器（33）で蒸発した冷媒は、圧縮機（30）に吸入されて再び圧縮される。
【００５０】
過冷却分岐管（26）に分流した冷媒は、過冷却膨張弁（48）を通過して中間圧にまで減圧された後、過冷却熱交換器（44）の２次側通路（46）を流れる。過冷却熱交換器（44）では、１次側通路（45）を流れる冷媒と２次側通路（46）を流れる冷媒とが熱交換する。その結果、１次側通路（45）の冷媒が過冷却される一方、２次側通路（46）の冷媒が蒸発する。２次側通路（46）を流出した冷媒は、圧縮機（30）の中間ポートより中間圧力状態の圧縮室に吸入される。
【００５１】
冷却動作では、温度制御部（101）によってコンテナ庫内の温度が目標温度となるように、圧縮機（30）の運転回転数Ｎおよび主膨張弁（32）の開度が制御される。具体的には、吹出空気温度SSが目標吹出温度SPよりも低ければ、温度制御部（101）は、圧縮機（30）の運転回転数Ｎを低下させ、且つ主膨張弁（32）の開度を下げる。こうすることで、冷媒回路（20）の冷媒循環量が減少し、冷却能力が低下するため、吹出空気温度SSが目標吹出温度SPに近づいていく。このため、コンテナ庫内の温度が保たれる。
【００５２】
一方、吹出空気温度SSが目標吹出温度SPよりも高ければ、温度制御部（101）は、圧縮機（30）の運転回転数Ｎを増加させると共に、主膨張弁（32）の開度を上げる。こうすることで、冷媒回路（20）の冷媒循環量が増加し、冷却能力が増加するため、吹出空気温度SSが目標吹出温度SPに近づいていく。このため、コンテナ庫内の温度が保たれる。
【００５３】
また、冷却動作では、庫内ファン（36）はハイ状態で運転される。また、庫外ファン（35）は、圧縮機（30）から吐出した冷媒の状態に応じて庫外ファンモータ（35a）の回転数が制御される。
【００５４】
〈冷却運転のポンプダウン動作〉
図示はしないが、冷却運転のポンプダウン動作では、第２開閉弁（49）が開放状態となり、第１開閉弁（47）、第３開閉弁（53）、第５開閉弁（81）が閉鎖状態となる。第４開閉弁（38）は、全開状態となり、過冷却膨張弁（48）および主膨張弁（32）は全閉状態となる。また、圧縮機（30）、庫外ファン（35）および庫内ファン（36）が運転される。
【００５５】
圧縮機（30）が運転されると、全閉状態の主膨張弁（32）から圧縮機（30）の吸入ポートまでのライン（即ち、低圧液管（27）および低圧ガス管（28））の冷媒が、圧縮機（30）に吸入される。圧縮機（30）から吐出された冷媒は、凝縮器（31）で凝縮して液状態となり、レシーバ（41）内に貯留される。これにより、ポンプダウン動作では、冷媒回路（20）の冷媒がレシーバ（41）内に回収される。
【００５６】
ポンプダウン動作では、圧縮機（30）の運転回転数Ｎ（運転周波数）が原則として一定に制御される。また、庫外ファン（35）の回転数は最大回転数となる。これにより、凝縮器では冷媒の凝縮が促される。
【００５７】
〈除湿運転〉
次に、コンテナ用冷凍装置（10）の除湿運転について説明する。除湿運転では、その除湿負荷に応じて４つの除湿制御が行われる。具体的には、図３および図６に示すように、除湿負荷が大きくなるのに伴って第１〜第４除湿制御が除湿制御部（102）によって行われる。この除湿制御部（102）は、上記湿度センサ（72）で検出されたコンテナ庫内の湿度と、コンテナ用冷凍装置（10）の使用者が予め設定入力した設定湿度とに基づいて制御を行う。
【００５８】
−第１除湿制御−
まず、第１除湿制御について説明する。この第１除湿制御は、コンテナ庫内の湿度が設定湿度以上で、且つコンテナ庫内の温度が安定している場合に行われる。具体的には、図７に示すように、第１除湿制御は、除湿開始信号が除湿制御部（102）に入力され、且つコンテナ庫内の湿度が設定湿度＋７％以上であり、吹出空気温度SSが、ＳＰ−０．７℃＜ＳＳ＜ＳＰ＋０．７℃の範囲で５分間以上継続した場合に開始される。第１除湿制御では、図８に示すように、圧縮機（30）、庫外ファン（35）、及び庫内ファン（36）を起動させることによって運転が開始される。このとき、第２開閉弁（49）が開放状態となり、第３開閉弁（53）、第５開閉弁（81）、第１開閉弁（47）および過冷却膨張弁（48）が閉鎖状態となる。第４開閉弁（38）は７６０パルスの開度で開かれている。
【００５９】
第１除湿制御が開始されると、除湿制御部（102）によって蒸発器（33）における過熱度ＳＨｅ制御が行われる。具体的には、除湿制御部（102）は、主膨張弁（32）を調節して蒸発器（33）の過熱度ＳＨｅをコンテナ庫内の湿度が設定湿度に近づくように２℃から５℃、８℃、１１℃、１４℃の順に上昇させてゆく。こうすると、圧縮機（30）の吸入圧力が下がり、蒸発器（33）における出口蒸発温度が低下する。また、蒸発器（33）の過熱度ＳＨｅを上昇させると、蒸発器（33）を流れる冷媒流量が少なくなる。このため、除湿制御部（102）は、圧縮機（30）の回転数Ｎを初期値より高くして冷媒回路（20）を流れる冷媒循環量を増加させ、蒸発器（33）に流入させる冷媒量を増やす。これにより、蒸発器（33）を流れる冷媒流量が増加する。これらにより、蒸発器（33）で結露する水分量が増加する。
【００６０】
また、上記庫内ファン（36）は、使用者の手動によって、その回転がハイ状態とロー状態とに切り換えられて運転される。除湿運転において、庫内ファン（36）の回転をロー状態にすると、庫内ファン（36）の入力が下がって蒸発器（33）の冷却負荷が下がる。このため、圧縮機（30）の吸入側の圧力が下がり、蒸発器（33）における出口蒸発温度が低下する。蒸発器（33）で結露される水分量が増加して除湿能力が向上する。
【００６１】
第１除湿制御が行われた結果、図７に示すように、コンテナ庫内の湿度が設定湿度−７％よりも小さくなった状態で３分間継続した場合は、除湿制御部（102）は第１除湿制御を終了する。また、除湿停止信号が除湿制御部（102）に入力された場合、除湿制御部（102）は第１除湿制御を終了する。また、吹出空気温度SSが目標吹出温度SP＋０．５℃よりも高くなった状態で２０分間継続した場合、除湿制御部（102）は第１除湿制御を終了する。また、吹出空気温度SSが目標吹出温度SP−０．５℃よりも低くなった状態で２０分間継続した場合、除湿制御部（102）は第１除湿制御を終了する。また、吹出空気温度SSが目標吹出温度SP−３．０℃よりも低くなった状態で３分間継続した場合、除湿制御部（102）は第１除湿制御を終了する。そして、第１除湿制御が終了したら、通常の冷却運転に戻る。
【００６２】
一方、第１除湿制御が行われても、未だコンテナ庫内の湿度が設定湿度よりも高く、且つ吹出空気温度SSが、ＳＰ−０．７℃＜ＳＳ＜ＳＰ＋０．７℃の範囲で５分間以上継続した場合には、除湿制御部（102）は第２除湿制御を開始する。
【００６３】
−第２除湿制御−
次に、第２除湿制御について説明する。この第２除湿制御では、図９に示すように、除湿制御部（102）によって圧縮機（30）、庫外ファン（35）、及び庫内ファン（36）が運転されると共に、第５開閉弁（81）が全開状態となる。尚、第１開閉弁（47）および過冷却膨張弁（48）は閉鎖状態となり、第４開閉弁（38）は７６０パルスの開度で開かれている。
【００６４】
第２除湿制御が開始されると、除湿制御部（102）によって蒸発器（33）における過熱度ＳＨｅが２℃に制御される。そして、圧縮機（30）の吐出冷媒は、第４開閉弁（38）、凝縮器（31）、および主膨張弁（32）を通過して蒸発器（33）へ流れる。蒸発器（33）の内部を流通する冷媒は庫内ファン（36）によって送られる庫内空気と熱交換する。その結果、冷媒は庫内空気から吸熱して蒸発し、その結果、庫内空気が冷却され、空気中の水分が結露する。このため、庫内空気が除湿される。
【００６５】
また、圧縮機（30）の吐出冷媒の一部は、全開状態の第５開閉弁（81）を通過してレヒート回路（80）に流れ込む。レヒート回路（80）では、流入した吐出冷媒がレヒート通路（82）を流れてレヒート熱交換器（83）へ流入する。レヒート熱交換器（83）の冷媒は、蒸発器（33）において冷却除湿された空気と熱交換する。その結果、レヒート熱交換器（83）では、冷媒が庫内空気へ放熱して凝縮し、その結果、庫内空気が加熱される。つまり、蒸発器（33）で冷却除湿された空気をレヒート熱交換器（83）で再度加熱することで、コンテナ庫内の相対湿度を下げるようにしている。
【００６６】
また、上記庫内ファン（36）は、使用者の手動によってその回転がハイ状態とロー状態とに切り換えられて運転される。除湿運転において、庫内ファン（36）の回転をロー状態にすると、庫内ファン（36）の入力が下がって蒸発器（33）の冷却負荷が下がる。このため、圧縮機（30）の吸入側の圧力が下がり、蒸発器（33）における出口蒸発温度が低下する。蒸発器（33）で結露される水分量が増加して除湿能力が向上する。
【００６７】
第２除湿制御が行われた結果、図７に示すように、コンテナ庫内の湿度が設定湿度＋２％よりも小さくなった状態で３分間継続し、且つ除湿開始信号が除湿制御部（102）に入力された場合、除湿制御部（102）は第２除湿制御を終了する。また、吹出空気温度SSが目標吹出温度SP＋０．５℃よりも高くなった状態で５分間継続した場合、除湿制御部（102）は第２除湿制御を終了する。また、吹出空気温度SSが目標吹出温度SP＋１．０℃よりも高くなった状態で１分間継続した場合、除湿制御部（102）は第２除湿制御を終了する。そして、第２除湿制御が終了すると、第１除湿制御に戻る。
【００６８】
一方、第１除湿制御が行われ、蒸発器（33）の過熱度ＳＨｅが１４の状態であっても、未だコンテナ庫内の湿度が設定湿度＋２％よりも高く、且つ吹出空気温度SSが、ＳＰ−０．７℃＜ＳＳ＜ＳＰ＋０．７℃の範囲で５分間以上継続した場合には、除湿制御部（102）は第３除湿制御を開始する。
【００６９】
−第３除湿制御−
次に、第３除湿制御について図９に基づいて説明する。この第３除湿制御では、除湿制御部（102）によって蒸発器（33）における過熱度ＳＨｅ制御が行われる。尚、この第３除湿制御は、本発明に係る第１除湿制御を構成している。
【００７０】
具体的には、除湿制御部（102）は、主膨張弁（32）を調節して蒸発器（33）の過熱度ＳＨｅをコンテナ庫内の湿度が設定湿度に近づくように２℃から５℃、８℃、１１℃、１４℃の順に上昇させてゆく。こうすると、圧縮機（30）の吸入圧力が下がって蒸発器（33）を流れる冷媒の比体積が大きくなるため、冷媒循環量が少なくなる。圧縮機（30）の吸入圧力が下がることで蒸発器（33）における出口蒸発温度が低下し、蒸発器（33）で結露する水分量が増加する。また、蒸発器（33）の過熱度ＳＨｅを上昇させると、蒸発器（33）を流れる冷媒流量が少なくなる。このため、除湿制御部（102）は、圧縮機（30）の回転数Ｎを制御値より高くして冷媒回路（20）を流れる冷媒循環量を増加させ、蒸発器（33）に流入させる冷媒量を増やす。これにより、蒸発器（33）を流れる冷媒流量が増加するため、吹出空気温度SSを目標吹出温度SPに近づけることができる。つまり、コンテナ庫内の温度を目標温度範囲内に維持することができる。尚、上記制御値は、本発明に係る圧縮機（30）の運転回転数Ｎに係る所定値を構成している。
【００７１】
上記庫外ファン（35）は、ファン制御部（103）によってコンテナ庫内の冷却負荷に応じて第１〜第４切換制御が行われる。
【００７２】
また、上記庫内ファン（36）は、使用者の手動によって、その回転がハイ状態とロー状態とに切り換えられて運転される。除湿運転において、庫内ファン（36）の回転をロー状態にすると、庫内ファン（36）の入力が下がって蒸発器（33）の冷却負荷が下がる。このため、圧縮機（30）の吸入側の圧力が下がり、蒸発器（33）における出口蒸発温度が低下する。蒸発器（33）で結露される水分量が増加して除湿能力が向上する。
【００７３】
また、圧縮機（30）の吐出冷媒の一部は、全開状態の第５開閉弁（81）を通過してレヒート回路（80）に流れ込む。レヒート回路（80）では、流入した吐出冷媒がレヒート通路（82）を流れてレヒート熱交換器（83）へ流入する。レヒート熱交換器（83）の冷媒は、蒸発器（33）において冷却除湿された空気と熱交換する。その結果、レヒート熱交換器（83）では、冷媒が庫内空気へ放熱して凝縮し、その結果、庫内空気が加熱される。つまり、蒸発器（33）で冷却除湿された空気をレヒート熱交換器（83）で再度加熱することで、コンテナ庫内の相対湿度を下げるようにしている。
【００７４】
第３除湿制御が行われた結果、図７に示すように、コンテナ庫内の湿度が設定湿度−２％よりも小さくなった状態で３分間継続し、且つ除湿開始信号が除湿制御部（102）に入力された場合、除湿制御部（102）は第３除湿制御を終了する。また、吹出空気温度SSが目標吹出温度SP＋０．５℃よりも高くなった状態で５分間継続した場合、除湿制御部（102）は第３除湿制御を終了する。また、吹出空気温度SSが目標吹出温度SP＋１．０℃よりも高くなった状態で１分間継続した場合、除湿制御部（102）は第３除湿制御を終了する。そして、第３除湿制御が終了したら、第２除湿制御に戻る。
【００７５】
一方、第３除湿制御が行われ、蒸発器（33）の過熱度ＳＨｅが１４の状態であっても、未だコンテナ庫内の湿度が設定湿度＋２％よりも高く、且つ吹出空気温度SSが、ＳＰ−０．７℃＜ＳＳ＜ＳＰ＋０．７℃の範囲で５分間以上継続した場合には、除湿制御部（102）は第４除湿制御を開始する。
【００７６】
−第４除湿制御−
次に、第４除湿制御について図９に基づいて説明する。この第４除湿制御では、除湿制御部（102）によって蒸発器（33）における過熱度ＳＨｅ制御と、圧縮機（30）の高圧制御とが行われる。尚、第４除湿制御は、本発明に係る第２除湿制御を構成している。
【００７７】
具体的には、除湿制御部（102）は、主膨張弁（32）を調節して蒸発器（33）の過熱度ＳＨｅをコンテナ庫内の湿度が設定湿度に近づくように２℃から５℃、８℃、１１℃、１４℃の順に上昇させてゆく。こうすると、圧縮機（30）の吸入圧力が下がって蒸発器（33）を流れる冷媒の比体積が大きくなるため、冷媒循環量が少なくなる。圧縮機（30）の吸入圧力が下がることで蒸発器（33）における出口蒸発温度が低下し、蒸発器（33）で結露する水分量が増加する。また、蒸発器（33）の過熱度ＳＨｅを上昇させると、蒸発器（33）を流れる冷媒流量が少なくなる。このため、除湿制御部（102）は、圧縮機（30）の回転数Ｎを制御値より高くして冷媒回路（20）を流れる冷媒循環量を増加させ、蒸発器（33）に流入させる冷媒量を増やす。これにより、蒸発器（33）を流れる冷媒流量が増加するため、吹出空気温度SSを目標吹出温度SPに近づけることができる。つまり、コンテナ庫内の温度を目標温度範囲内に維持することができる。尚、上記制御値は、本発明に係る圧縮機（30）の運転回転数Ｎに係る所定値を構成している。
【００７８】
上記庫外ファン（35）は、ファン制御部（103）によってコンテナ庫内の冷却負荷に応じて第１〜第４切換制御が行われる。
【００７９】
また、上記庫内ファン（36）は、使用者の手動によって、その回転がハイ状態とロー状態とに切り換えられて運転される。除湿運転において、庫内ファン（36）の回転をロー状態にすると、庫内ファン（36）の入力が下がって蒸発器（33）の冷却負荷が下がる。このため、圧縮機（30）の吸入側の圧力が下がり、蒸発器（33）における出口蒸発温度が低下する。蒸発器（33）で結露される水分量が増加して除湿能力が向上する。
【００８０】
第４除湿制御では、除湿制御部（102）は、除湿負荷に応じて可変値βの値を大きくすることで、圧縮機（30）の運転回転数Ｎを上げて吐出冷媒の圧力を高くする。尚、上述した第３除湿制御では、圧縮機（30）の吐出冷媒の圧力は、初期状態として８００ｋＰａに設定され、且つ圧縮機（30）の吐出冷媒の圧力は上限が２１００ｋＰａに設定されている。
【００８１】
除湿制御部（102）は、圧縮機（30）の吐出冷媒の圧力を最大で２１００ｋＰａまで上昇させる。吐出冷媒の圧力を高くすることで、レヒート熱交換器（83）に高い圧力の冷媒が流入する。このため、レヒート熱交換器（83）の加熱能力が高くなるため、コンテナ庫内の相対湿度が下がる。
【００８２】
第４除湿制御が行われた結果、図７に示すように、コンテナ庫内の湿度が設定湿度−２％よりも小さくなった状態で３分間継続し、且つ除湿開始信号が除湿制御部（102）に入力された場合、除湿制御部（102）は第４除湿制御を終了する。また、吹出空気温度SSが目標吹出温度SP＋０．５℃よりも高くなった状態で５分間継続した場合、除湿制御部（102）は第４除湿制御を終了する。また、吹出空気温度SSが目標吹出温度SP＋１．０℃よりも高くなった状態で１分間継続した場合、除湿制御部（102）は第４除湿制御を終了する。そして、第４除湿制御が終了したら、第３除湿制御に戻る。
【００８３】
−実施形態の効果−
上記実施形態によれば、第３除湿制御において、蒸発器（33）の過熱度ＳＨｅを高くしたため、蒸発器（33）の出口蒸発温度を低下させることができる。また、圧縮機（30）の運転回転数Ｎを高くしたため、蒸発器（33）の冷媒流量を増やすことができる。これらにより、蒸発器（33）で結露される水分量が増加するため、除湿能力を高くすることができる。
【００８４】
また、圧縮機（30）から吐出した冷媒の圧力を高くしたため、レヒート熱交換器（83）を流れる冷媒の圧力を高くすることができる。このため、レヒート熱交換器（83）の加熱能力を高めることができる。これにより、レヒート熱交換器（83）を通過する空気の相対湿度を高くすることができる。
【００８５】
さらに、除湿運転において庫内ファン（36）の回転をロー状態にするようにしたため、圧縮機（30）の吸入側の冷媒圧力を下げることができる。このため、蒸発器（33）の出口蒸発温度を低下させることができる。これらにより、蒸発器（33）で結露される水分量が増加するため、除湿能力を高くすることができる。
【００８６】
〈その他の実施形態〉
本発明は、上記実施形態について、以下のような構成としてもよい。
【００８７】
上記実施形態では、換気扉が常時閉じられた場合について説明したが、本発明は、これに限られず、換気扉が開閉される場合についても適用することができる。換気扉が開閉される場合、図６の下段に示すように、庫内ファン（36）の回転がハイ状態となり、制御が行われる。
【００８８】
尚、以上の実施形態は、本質的に好ましい例示であって、本発明、その適用物、あるいはその用途の範囲を制限することを意図するものではない。
【産業上の利用可能性】
【００８９】
以上説明したように、本発明は、コンテナ用冷凍装置について有用である。
【符号の説明】
【００９０】
２１          主回路
３０          圧縮機
３１          凝縮器
３２          主膨張弁
３３          蒸発器
８０          レヒート回路
８３          レヒート熱交換器
１０２        除湿制御部
【図１】
2013122333.tif 000003
【図２】
2013122333.tif 000004
【図３】
2013122333.tif 000005
【図４】
2013122333.tif 000006
【図５】
2013122333.tif 000007
【図６】
2013122333.tif 000008
【図７】
2013122333.tif 000009
【図８】
2013122333.tif 000010
【図９】
2013122333.tif 000011